(57)【要約】【課題】コストアップを招くことなく、原稿載置面上の視認性を高め、原稿セット時の作業性の向上を図る。【解決手段】本発明は、装置本体５の上面５ａに形成される原稿載置面２１に対して開閉可能に設けられ、原稿載置面２１の原稿Ｓを押圧する原稿カバー３３を備える自動原稿送り装置５０であって、光源を有して原稿Ｓの一方の面の画像を読み取る画像読取装置３４が内設されると共に、画像読取装置３４から原稿載置面２１に向かって前記光源の光を導く光路４０が形成されていることを特徴とする。【選択図】図２
2016208132.tif 000002
【特許請求の範囲】
【請求項１】
装置本体の上面に形成される原稿載置面に対して開閉可能に設けられ、該原稿載置面の原稿を押圧する原稿カバーを備える自動原稿送り装置であって、
光源を有して前記原稿の一方の面の画像を読み取る画像読取装置が内設されると共に、前記画像読取装置から前記原稿載置面に向かって前記光源の光を導く光路が形成されていることを特徴とする自動原稿送り装置。
【請求項２】
原稿を載置する供給トレイと、
前記画像読取装置による画像を読み取り後の原稿を受け取る排出トレイと、
前記供給トレイから前記排出トレイに至る搬送路を形成する搬送ガイドと、
を備え、前記光路は、前記搬送路を挟んで前記画像読取装置に対向して配置される前記搬送ガイドの一部分を光透過性部材で形成することにより構成されることを特徴とする請求項１に記載の自動原稿送り装置。
【請求項３】
請求項１又は２に記載の自動原稿送り装置を備える画像形成装置であって、
前記装置本体の前記原稿載置面の下方に前記原稿の他方の面の画像を読み取る画像読取装置が設けられることで前記原稿の両面を読み込み可能に構成されていることを特徴とする画像形成装置。
【発明の詳細な説明】
【技術分野】
【０００１】
本発明は、原稿の画像を読み取る画像読取装置を有する自動原稿送り装置及びこれを備えた画像形成装置に関する。
【背景技術】
【０００２】
従来、画像形成装置には、供給トレイに載置された原稿を１枚ずつ装置本体の画像読取位置に自動搬送してその画像を読み取った後に原稿を排出させる自動原稿送り装置（ＡＤＦ）が設けられている。この自動原稿送り装置は、装置本体の上面に設けられるプラテンガラス（原稿載置面）に対して開閉可能に支持されており、閉鎖時にプラテンガラス上の原稿を押圧する原稿カバーを備えている。
【０００３】
また、近年、複数の原稿の画像をより高速に読み取るために、自動原稿送り装置の内部にも画像読取装置を設け、原稿の両面の画像をほぼ同時に読み取るように構成した画像形成装置も普及している（例えば、特許文献１参照）。
【先行技術文献】
【特許文献】
【０００４】
【特許文献１】特開２００６−７４６０８号公報
【発明の概要】
【発明が解決しようとする課題】
【０００５】
しかしながら、上記した特許文献１に記載されている自動原稿送り装置及び画像形成装置では、図３に示すように、自動原稿送り装置１の原稿カバー２を開閉させてプラテンガラス（原稿載置面）３上に原稿Ｓをセットする際、画像形成装置４の周囲に配置された照明５の光が原稿カバー２によって遮断されてしまい（図３中の破線部参照）、プラテンガラス（原稿載置面）３上の視認性を低下させ、原稿Ｓをセット時の作業性を損なう虞がある。
【０００６】
一方、プラテンガラス（原稿載置面）３上の視認性を高めるため、プラテンガラス（原稿載置面）３上を照らす光源を新たに設置した場合には、その分コストアップを招くという問題が生じる。
【０００７】
本発明は上記した課題を解決すべくなされたものであり、コストアップを招くことなく、原稿載置面上の視認性を高め、原稿セット時の作業性の向上を図ることのできる自動原稿送り装置及びこれを備えた画像形成装置を提供することを目的とするものである。
【課題を解決するための手段】
【０００８】
上記した目的を達成するため、本発明は、装置本体の上面に形成される原稿載置面に対して開閉可能に設けられ、該原稿載置面の原稿を押圧する原稿カバーを備える自動原稿送り装置であって、光源を有して前記原稿の一方の面の画像を読み取る画像読取装置が内設されると共に、前記画像読取装置から前記原稿載置面に向かって前記光源の光を導く光路が形成されていることを特徴とする。
【０００９】
また、本発明に係る自動原稿送り装置は、原稿を載置する供給トレイと、前記画像読取装置による画像を読み取り後の原稿を受け取る排出トレイと、前記供給トレイから前記排出トレイに至る搬送路を形成する搬送ガイドと、を備え、前記光路は、前記搬送路を挟んで前記画像読取装置に対向して配置される前記搬送ガイドの一部分を光透過性部材で形成することにより構成されることを特徴とする。
【００１０】
上記した目的を達成するため、本発明の画像形成装置は、上記したいずれかの自動原稿送り装置を備える画像形成装置であって、前記装置本体の前記原稿載置面の下方に前記原稿の他方の面の画像を読み取る画像読取装置が設けられることで前記原稿の両面を読み込み可能に構成されていることを特徴とする。
【００１１】
上記した構成を備えた自動原稿送り装置及び画像形成装置によれば、原稿カバーを開閉させて原稿載置面に原稿をセットする際、自動原稿送り装置の画像読取装置の光源からの光が光路を透過し、原稿載置面上を照らすため、原稿載置面上の視認性を高め、原稿セット時の作業性の向上を図ることができる。また、この場合、原稿載置面を照らす光源を新たに設置する必要がないため、コストアップを招く虞もない。
【発明の効果】
【００１２】
本発明によれば、コストアップを招くことなく、原稿載置面上の視認性を高め、原稿セット時の作業性の向上を図ることができる。
【図面の簡単な説明】
【００１３】
【図１】本発明の実施形態に係る複合機を模式的に示す断面図である。
【図２】本発明の実施形態に係る複合機の自動原稿送り装置及び原稿読取装置を模式的に示す断面図である。
【図３】従来例を示す模式図である。
【発明を実施するための形態】
【００１４】
以下、本発明の実施形態について、図１及び２を参照しながら説明する。ここで、図１は複合機を模式的に示す断面図、図２は複合機の自動原稿送り装置及び原稿読取装置を模式的に示す断面図である。なお、以下の説明では、便宜上、各図において矢印で示すように各方向を規定する。
【００１５】
複合機１は、筐体２の内部に作像装置３及び第１の画像読取装置４等を収容して構成される装置本体５と、装置本体５の上面５ａに対して開閉可能に設けられる自動原稿送り装置５０と、を含んで構成されている。
【００１６】
作像装置３は、用紙を収納する用紙収容部６と、用紙収容部６から搬送経路７に供給された用紙にトナー像を転写する画像形成部８と、転写したトナー像を用紙に定着させる定着装置９と、定着後の用紙の排出先となる用紙排出部１０と、を備えている。なお、原稿Ｓや用紙は、紙製の記録材に限らず、樹脂フィルムやＯＨＰシート等の記録材も含まれる。
【００１７】
画像形成部８は、例えば、パーソナルコンピューター（図示せず）や画像読取装置４から送信された画像データに基づいてモノクロの画像形成処理を行うものであり、補給用トナー（ブラック）を収納したトナーコンテナ１１を備えている。また、画像形成部８は、回転可能に設けられる像担持体としての感光体ドラム１２の周囲に転写プロセス順に配置される帯電器１３と、露光器１４と、現像器１５と、転写ローラー１６と、クリーニング装置１７と、を含んで構成されている。
【００１８】
第１の画像読取装置４は、装置本体５の上板５ａに固定されるコンタクトガラス２０及び原稿載置面としてのプラテンガラス２１と、往復動可能に設けられる光学走査ユニット２２と、光学走査ユニット２２からの光を反射する反射ユニット２３と、反射光が集光レンズ２４を介して入力されるＣＣＤ２５と、を含んで構成されている。なお、集光レンズ２４及びＣＣＤ２５は固定されている。
【００１９】
光学走査ユニット２２は、プラテンガラス２１上の原稿Ｓに向かって光を照射する光源２６と、原稿Ｓで反射した光を反射ユニット２３に向ける反射部２７と、を有している。光学走査ユニット２２は、第１画像読取位置Ｈ１に固定された状態で、自動原稿送り装置５０によってコンタクトガラス２０上を通過する原稿Ｓの下面の画像を読み取り可能に構成されている。また、光学走査ユニット２２は、第１画像読取位置Ｈ１から右方向に走査することで、プラテンガラス２１上に載置された原稿Ｓを読み取ることも可能となっている。この際、原稿Ｓから集光レンズ２４までの光路長が常に一定となるように、反射ユニット２３は、光学走査ユニット２２と同一方向で且つ１／２の距離だけ移動するようになっている。
【００２０】
自動原稿送り装置５０（ＡＤＦ：Ａｕｔｏ  Ｄｏｃｕｍｅｎｔ  Ｆｅｅｄｅｒ）は、背面側に設けられる左右一対のヒンジ構造（図示省略）を介して回動可能に構成されている。自動原稿送り装置５０は、原稿Ｓを載置する供給トレイ３０と、画像読み取り後の原稿Ｓを受ける排出トレイ３１と、供給トレイ３０上の原稿Ｓを排出トレイ３１に送り出す搬送機構３２と、排出トレイ３１及び搬送機構３２を支持する原稿カバー３３と、を備えている。
【００２１】
供給トレイ３０は、複数の原稿Ｓを積載できるように樹脂製の受皿状に形成されている。供給トレイ３０は、搬送機構３２の上部から右方に延設され、搬送機構３２に向かって僅かに下方に傾斜して設けられている。供給トレイ３０の原稿積載面には、幅方向（搬送方向に直交する方向）にスライドして積載した原稿Ｓの幅方向の位置を規制する一対の原稿搬送ガイド（図示省略）が設けられている。
【００２２】
排出トレイ３１は、供給トレイ３０の下方に配設されている。排出トレイ３１は、排出された原稿Ｓを受けることができるように受皿状に形成されている。
【００２３】
搬送機構３２は、例えばポリカーボネートやＡＢＳ樹脂等の合成樹脂製の搬送ガイド（図示省略）によって供給トレイ３０から排出トレイ３１まで略Ｕ字状に折り返すように形成される搬送路３５と、搬送路３５の供給トレイ３０に近接した位置において回転可能に設けられるピックアップローラー３６と、搬送路３５の第１画像読取位置Ｈ１より搬送方向上流側において回転可能に設けられる第１中間搬送ローラー３７と、搬送路３５の第１画像読取位置Ｈ１より搬送方向下流側において回転可能に設けられる第２中間搬送ローラー３８と、搬送路３５の排出トレイ３１に近接した位置において回転可能に設けられる排出ローラー３９と、を含んで構成されている。
【００２４】
第２中間搬送ローラー３８と排出ローラー３９との間には第２画像読取位置Ｈ２が設けられている。そして、この第２画像読取位置Ｈ２に対応するように、搬送路３５の上方に、第２の画像読取装置３４が固定されている。第２の画像読取装置３４は、光源としてのＬＥＤランプ、コンタクトガラス、結像レンズ、及びイメージセンサー等の各部材（いずれも図示省略）が一体化されたＣＩＳ（Ｃｏｎｔａｃｔ  Ｉｍａｇｅ  Ｓｅｎｓｏｒ、密着イメージセンサー）ユニットにより構成されている。これにより、第２の画像読取装置３４は、搬送機構３２によって第２画像読取位置Ｈ２に送り出された原稿Ｓの上面の画像を読み取り可能となっている。
【００２５】
第２の画像読取装置３４の下方には、第２の画像読取装置３４からプラテンガラス２１に向かって前記光源の光を誘導可能なように光路４０が形成されている。光路４０は、搬送路３５を挟んで第２の画像読取装置３４に対向した位置に設けられ、前記搬送ガイドの一部分を光透過性部材で形成することにより構成されている。
【００２６】
原稿カバー３３は、略矩形平板状に形成されるカバーフレーム４１と、カバーフレーム４１の下面に設けられるマット４２と、を有し、前記ヒンジ構造を介してプラテンガラス２１に対して開閉可能に取り付けられている。カバーフレーム４１は、樹脂材料で、排出トレイ３１及び搬送機構３２の外装と一体に形成されている。マット４２は、弾性を有する樹脂材料で、カバーフレーム４１よりも小さな矩形平板状に形成されている。
【００２７】
次に、本発明の実施形態に係る複合機１の作用について説明する。
【００２８】
自動原稿送り装置５０の正面側を上方に持ち上げるように回動させることで露出したプラテンガラス２１上に原稿Ｓを載置した後、自動原稿送り装置５を閉じるように回動させて原稿カバー３３により原稿Ｓを押圧する。このように原稿カバー３３を開閉させてプラテンガラス２１上に原稿Ｓをセットする際、第２の画像読取装置（ＣＩＳユニット）３４の前記光源からの光が光路４０を透過し、プラテンガラス２１上を照らすため、プラテンガラス２１上の視認性を高め、原稿セット時の作業性の向上を図ることができる。また、この場合、プラテンガラス２１上を照らす光源を新たに設置する必要がないため、コストアップを招く虞もない。
【００２９】
上記した状態で、複合機１を動作させると、第１の画像読取装置４において、光学走査ユニット２２及び反射ユニット２３が第１画像読取位置Ｈから右方向に走査することで、プラテンガラス２１上に載置された原稿Ｓの画像を読み取る。すなわち、光源２６から照射されて原稿の下面によって反射された光は反射部２７及び反射ユニット２３によりさらに反射され、集光レンズ２４に導かれた後、その光像がＣＣＤ２５の受光面に結像される。これによって、プラテンガラス２１上に載置された原稿Ｓの画像のデータが生成される。
【００３０】
また、原稿Ｓは、自動原稿送り装置５０の供給トレイ３０に載置することもできる。自動原稿送り装置５０において、供給トレイ３０にセットされた原稿Ｓは、ピックアップローラー３６により１枚ずつ搬送路３５へ送り出される。搬送路３５において、原稿Ｓは、第１中間搬送ローラー３７によって第１画像読取位置Ｈ１へ搬送され、第１の画像読取装置４によって原稿Ｓの下面の画像が読み取られる。第１画像読取位置Ｈ１で画像を読み取る際、第１の画像読取装置４は、第１画像読取位置Ｈ１に合わせて一時的に固定される。そして、原稿Ｓが第１画像読取位置Ｈ１を通過する時、光源２６から照射されて原稿の下面によって反射された光は反射部２７及び反射ユニット２３によりさらに反射され、集光レンズ２４に導かれた後、その光像がＣＣＤ２５の受光面に結像される。これによって、第１画像読取位置Ｈ１を通過した原稿Ｓの下面の画像が読み取られ、画像データが生成される。
【００３１】
さらに、搬送路３５において、原稿Ｓは、第２中間搬送ローラー３８によって第２画像読取位置Ｈ２へ搬送され、第２の画像読取装置３４によって原稿Ｓの上面の画像が読み取られる。すなわち、原稿Ｓが第２画像読取位置Ｈ２を通過する時、第２の画像読取装置（ＣＩＳユニット）３４によって原稿Ｓの上面の画像が読み取られ、画像データが生成される。その後、第２の画像読取位置Ｈ２を通過した原稿Ｓは、排紙ローラー３９によって排紙トレイ３１へ排出される。
【００３２】
このように第１の画像読取装置４や第２の画像読取装置３４によって読み取られた画像データは、作像装置３に出力される。第１の画像読取装置４や第２の画像読取装置３４から作像装置３に画像データが入力されると、帯電器１３によって所定電位に帯電した感光体ドラム１２の表面に対して、露光器１４によって前記画像データに応じた露光が行われる。これにより感光体ドラム１２上に形成された静電潜像は、現像器１５によってトナー像に現像される。このトナー像は、転写ローラー１６に転写バイアスが印加されることにより、用紙収容部６から搬送経路７を搬送されてきた用紙に転写され、定着装置９によって用紙に定着される。トナー像が定着された用紙は用紙排出部１０に排出され、転写後の感光体ドラム１２の表面に残留したトナーは、クリーニング装置１７によって除去される。
【００３３】
なお、上記した本発明の実施形態において、光路４０は、合成樹脂製の搬送ガイドの一部分を光透過性部材で形成することにより構成されているが、本発明はこの形態に限定されるものではない。すなわち、光路４０は、隙間や空洞、或いは、金属又は樹脂製のメッシュ、或いは、半透明性の合成樹脂、或いは、ガラス等、光を導くことのできる他の形態で構成することも可能である。
【００３４】
また、上記した本発明の実施形態の説明は、本発明に係る自動原稿送り装置５０及びこれを備えた複合機１における好適な実施の形態を説明しているため、技術的に好ましい種々の限定を付している場合もあるが、本発明の技術範囲は、特に本発明を限定する記載がない限り、これらの態様に限定されるものではない。さらに、上記した本発明の実施の形態における構成要素は適宜、既存の構成要素等との置き換えが可能であり、且つ、他の既存の構成要素との組合せを含む様々なバリエーションが可能であり、上記した本発明の実施の形態の記載をもって、特許請求の範囲に記載された発明の内容を限定するものではない。
【符号の説明】
【００３５】
１  複合機（画像形成装置）
４  第１の画像読取装置
５  装置本体
２１  プラテンガラス（原稿載置面）
３０  供給トレイ
３１  排出トレイ
３３  原稿カバー
３４  第２の画像読取装置
３５  搬送路
４０  光路
５０  自動原稿送り装置
【図１】
2016208132.tif 000003
【図２】
2016208132.tif 000004
【図３】
2016208132.tif 000005